(57)【要約】【解決手段】本発明の光導波路型ＷＤＭ合分波器１は光の入力ポート２及び出力ポート３を同一端面である第１の端面４に設けている。また、導波路５の途中には第１及び第２の誘電体多層膜６、７が挿入されており、第２の端面８には反射面９が設けられている。さらに、この光導波路型ＷＤＭ合分波器１を有機高分子材料で構成することが好ましい。【効果】本発明によれば、光の入出力ポートを同一端面側に設けたので光ファイバアレイなどとの結合が一端面側のみでできるためスペースファクターがよく、小型化が可能な光導波路型ＷＤＭ合分波器を提供することができるとともに有機高分子材料で構成するので低価格な光導波路型ＷＤＭ合分波器を実現することができる。【選択図】図１
2005321487.tif 000002
【特許請求の範囲】
【請求項１】
複数の波長の光をそれぞれの入力ポ−トから入射し、内部で合波して一つの出力ポートから出射したり複数の波長の光を一つの入力ポートから入射し、内部で単数の光に分波して複数の出力ポートから出射する光導波路型ＷＤＭ合分波器において、前記入力ポート及び出力ポートを同一端面側に設けたことを特徴とする光導波路型ＷＤＭ合分波器。
【請求項２】
前記複数の波長の光の合分波は内部に設けられたフィルタにより行うことを特徴とする請求項１記載の光導波路型ＷＤＭ合分波器。
【請求項３】
前記入力ポート及び出力ポートが設けられた端面側と反対側の端面に光の反射面を設けたことを特徴とする請求項１または請求項２記載の光導波路型ＷＤＭ合分波器。
【請求項４】
前記反射面は前記入力ポート及び出力ポートが設けられた端面側と反対側の端面に金属蒸着膜を設けたことを特徴とする請求項３記載の光導波路型ＷＤＭ合分波器。
【請求項５】
前記反射面は前記入力ポート及び出力ポートが設けられた端面側と反対側の端面に反射機能を有するブロックを接続したことを特徴とする請求項３記載の光導波路型ＷＤＭ合分波器。
【請求項６】
前記反射面は前記入力ポート及び出力ポートが設けられた端面側と反対側の端面近傍に溝を設け、この溝内に反射機能を有するブロックを挿入したことを特徴とする請求項３記載の光導波路型ＷＤＭ合分波器。
【請求項７】
前記反射面は前記入力ポート及び出力ポートが設けられた端面側と反対側の端面近傍に溝を設け、この溝内に反射機能を有するフィルタを挿入したことを特徴とする請求項３記載の光導波路型ＷＤＭ合分波器。
【請求項８】
前記光導波路型ＷＤＭ合分波器は有機高分子材料により構成されていることを特徴とする請求項１から請求項７までのいずれかの請求項に記載の光導波路型ＷＤＭ合分波器。
【発明の詳細な説明】
【技術分野】
【０００１】
本発明は、複数の波長の光を合波したり分波したりするための小型で低価格な光導波路型ＷＤＭ合分波器に関する。
【背景技術】
【０００２】
近年、ＦＴＴＨ（Ｆｉｂｅｒ  Ｔｏ  Ｔｈｅ  Ｈｏｍｅ）の導入が始まりインターネットに代表される情報通信ネットワークがオフィスの範囲を超え各家庭まで急速に普及してきている。
このような状況において各ユーザーへのサービスの提供を可能とするアクセス系ネットワークの形態が多様化する中、特に光ファイバを伝送路とする経済的高速広帯域アクセスシステムであるＡＴＭ−ＰＯＮ（Ａｓｙｎｃｈｒｏｎｏｕｓ  Ｔｒａｎｓｆｅｒ  Ｍｏｄｅｂａｓｅｄ  Ｐａｓｓｉｖｅ  Ｏｐｔｉｃａｌ  Ｎｅｔｗｏｒｋ）システムの早期導入が検討されている。
【０００３】
ＡＴＭ−ＰＯＮは、例えば上りに波長１．３１μｍ（音声）帯の光を、下りに１．４９μｍ（パソコンデータ）、１．５５μｍ（画像）帯の光を用いた加入者系の波長多重光通信システムであり、その仕様はＩＴＵ（国際電気通信連合；Ｉｎｔｅｒｎａｔｉｏｎａｌ  Ｔｅｌｅｃｏｍｍｕｎｉｃａｔｉｏｎ  Ｕｎｉｏｎ）で標準化されている。
【０００４】
そこで、この１．３１μｍ、１．４９μｍ、１．５５μｍの波長を分離、合成するためには、３波長のＷＤＭ（Ｗａｖｅｌｅｎｇｔｈ  Ｄｉｖｉｓｉｏｎ  Ｍｕｌｔｉｐｌｅｘｉｎｇ）合分波器が必要となる。この合分波器及びＬＤ（Ｌａｓｅｒ  Ｄｉｏｄｅ）、ＰＤ（Ｐｈｏｔｏ  Ｄｉｏｄｅ）を含めたＯＮＵ（Ｏｐｔｉｃａｌ  Ｎｅｔｗｏｒｋ  Ｕｎｉｔ）装置は各家庭にまで光ファイバ網が普及するための基本ユニットとなっている。
【０００５】
従来光導波路型ＷＤＭ合分波器は石英ガラスから構成されているものが一般的であり、石英型導波路とフィルタを組み合わせたものが使用されている（例えば、特許文献１参照）。
【０００６】
一方、より低価格化を目指して石英ガラスより加工性に優れ、材料が安価な有機高分子材料を用いた光導波路型ＷＤＭ合分波器も用いられている（例えば、特許文献２参照）。
【０００７】
【特許文献１】特開２０００−２４１６４５号公報
【特許文献２】特開２００２−２４３９６０号公報
【発明の開示】
【発明が解決しようとする課題】
【０００８】
ところで、上記のような従来の技術には、次のような解決すべき課題があった。
【０００９】
即ち、特許文献１に示すような光導波路型ＷＤＭ合分波器は入力ポートと出力ポートが導波路の両側に設けられているためにスペースファクターが悪く、また石英ガラスから構成されているために価格的にも安価にできないという問題があった。
【００１０】
また、特許文献２に示すようなフッ素化ポリイミドのような有機高分子材料と誘電体多層膜フィルタとを用いた光導波路型ＷＤＭ合分波器は価格的には石英ガラスから構成される光導波路型ＷＤＭ合分波器よりも安価であるが、やはり入力ポートと出力ポートが導波路の両側に設けられているためにやはりスペースファクターが悪いという問題があった。
【００１１】
インターネットが普及し、家庭内にも光導波路型ＷＤＭ合分波器が用いられるような場合には小型で低価格な機器が必須となる。従って、本発明は以上の点に着目してなされたもので、家庭内で用いられてもスペースファクターがよく、小型でかつ低価格な光導波路型ＷＤＭ合分波器を提供することを目的とするものである。
【課題を解決するための手段】
【００１２】
本発明は以上の点を解決するため次のような構成からなるものである。
【００１３】
即ち、本発明の第１の態様である光導波路型ＷＤＭ合分波器は、複数の波長の光をそれぞれの入力ポ−トから入射し、内部で合波して一つの出力ポートから出射したり複数の波長の光を一つの入力ポートから入射し、内部で単数の光に分波して複数の出力ポートから出射する光導波路型ＷＤＭ合分波器において、前記入力ポート及び出力ポートを同一端面側に設けたことを特徴としている。
【００１４】
また、第２の態様として、前記第１の態様において、前記複数の波長の光の合分波は内部に設けられたフィルタにより行うことを特徴としている。
【００１５】
さらに、第３の態様として、前記第１の態様または第２の態様において、前記入力ポート及び出力ポートが設けられた端面側と反対側の端面に光の反射面を設けたことを特徴としている。
【００１６】
また、第４の態様として、前記第３の態様において、前記入力ポート及び出力ポートが設けられた端面側と反対側の端面に金属蒸着膜を設けたことを特徴としている。
【００１７】
さらに、第５の態様として、前記第３の態様において、前記反射面は前記入力ポート及び出力ポートが設けられた端面側と反対側の端面に反射機能を有するブロックを接続したことを特徴としている。
【００１８】
また、第６の態様として、前記第３の態様において、前記反射面は前記入力ポート及び出力ポートが設けられた端面側と反対側の端面近傍に溝を設け、この溝内に反射機能を有するブロックを挿入したことを特徴としている。
【００１９】
さらに、第７の態様として、前記第３の態様において、前記反射面は前記入力ポート及び出力ポートが設けられた端面側と反対側の端面近傍に溝を設け、この溝内に反射機能を有するフィルタを挿入したことを特徴としている。
【００２０】
また、第８の態様として、前記第１の態様から第７の態様において、前記光導波路型ＷＤＭ合分波器は有機高分子材料により構成されていることを特徴としている。
【発明の効果】
【００２１】
光の入力ポートと出力ポートを同一端面側に設けたので小型化が実現でき、また有機高分子材料を用いることにより低価格化も可能であるので、家庭で用いてもスペースファクターがよくかつ安価な光導波路型ＷＤＭ合分波器を提供することができる。
【発明を実施するための最良の形態】
【００２２】
以下、本発明の実施の形態について具体例を用いて説明する。
【００２３】
図１は本発明の光導波路型ＷＤＭ合分波器の実施の形態を表した図である。図１において、本発明の光導波路型ＷＤＭ合分波器１は単数若しくは複数の入力ポート２及び出力ポート３（３ａ、３ｂ、３ｃ）を有しており、これらの入力ポート２及び出力ポート３が同一端面側である第１の端面４に設けられている。そして、導波路５（５ａ、５ｂ、５ｃ、５ｄ、５ｅ、５ｆ、５ｇ、５ｈ）の途中に第１の誘電体多層膜フィルタ６及び第２の誘電体多層膜フィルタ７が挿入されており、入出力ポートが設けられた第１の端面４と反対側の第２の端面８に光の反射面９が設けられている。
【００２４】
ここで、本発明の光導波路型ＷＤＭ合分波器１の動作について、例えば３波長の光を多重化して一つの入力ポート２に入射し、これらの光を分波してそれぞれ出力ポート３ａ、３ｂ、３ｃに出射する場合を説明する。
【００２５】
まず１．３１μｍ、１．４９μｍ、１．５５μｍの３波長の光を多重化して一つの入力ポート２から入射する。これらの光は導波路５ａ内を伝搬して第１の誘電体多層膜フィルタ６に到達する。誘電体多層膜フィルタ６は１．５５μｍの波長の光を反射して、他の１．４９μｍ及び１．３１μｍの２波長の光を通過させる機能を有している。従って、１．５５μｍの波長の光は誘電体多層膜フィルタ６により反射され導波路５ｂを伝搬して出力ポート３ａより出射する。
【００２６】
そして１．４９μｍ及び１．３１μｍの波長の光はさらに導波路５ｃを伝搬して第２の誘電体多層膜フィルタ７に到達する。この誘電体多層膜フィルタ７は１．４９μｍの波長の光を反射して、他の１．３１μｍの波長の光を通過させる機能を有している。従って、１．４９μｍの波長の光は誘電体多層膜フィルタ７により反射されて導波路５ｄを伝搬して出力ポート３ｂより出射する。
【００２７】
次に誘電体多層膜フィルタ７を通過した１．３１μｍの波長の光は導波路５ｅを伝搬して入出力ポートが設けられた第１の端面４と反対側の第２の端面８に設けられた反射面９に到達し、この反射面９より反射されて導波路５ｆを伝搬して出力ポート３ｃより出射する。
【００２８】
このようにして多重化された光がそれぞれ光導波路型ＷＤＭ合分波器内で個々の光に分波されて出射されるが、本発明では入力ポートも出力ポートも同一端面側に設けられているので光ファイバアレイなどとの結合が一端面側のみでできるためスペースファクターがよく、小型化が可能となり、各家庭内にこのような光導波路型ＷＤＭ合分波器を導入する効果が極めて大きい。なお、導波路５ｇ、５ｈは光の伝搬には直接関与しないため特に設けなくても差し支えない。
【００２９】
ところで、本実施の形態では分波について説明したが、合波の場合には光の伝搬の経路を逆にして考えればよい。即ち、まずポート３ｃより１．３１μｍの波長の光を入射すると、この光は導波路５ｆを伝搬して反射面９で反射されて導波路５ｅを伝搬してゆく。そこで第２の誘電体多層膜フィルタ７に到達した際に、この誘電体多層膜フィルタ７は１．３１μｍの波長の光は通過させるので、１．３１μｍの波長の光は導波路５ｃを伝搬してゆく。
【００３０】
一方、ポート３ｂより入射した１．４９μｍの光は導波路５ｄを伝搬して第２の誘電体多層膜フィルタ７に到達して反射され、導波路５ｃを伝搬してゆくことになる。このとき１．３１μｍの波長の光と１．４９μｍの波長の光が導波路５ｃ内で合波され、多重化されて伝搬することになる。
【００３１】
次にポート３ａより入射した１．５５μｍの波長の光は導波路５ｂを伝搬して第１の誘電体多層膜フィルタ６により反射され導波路５ａを伝搬する。また導波路５ｃを伝搬してきた多重化された１．３１μｍの波長の光と１．４９μｍの波長の光は第１の誘電体多層膜フィルタ６を通過して導波路５ａを伝搬する。この結果導波路５ａには１．３１μｍ、１．４９μｍ、１．５５μｍの波長の光が多重化されて伝搬し、これら多重化された３波長の光がポート２より出射されることになる。
【００３２】
ここで、入出力ポートが設けられた第１の端面４の反対側の第２の端面８に設けられた反射面９は、例えば図２（ａ）に示すように、アルミニウムなどの金属を端面８に蒸着して形成することができる。あるいは、図２（ｂ）のように反射機能を有するガラスブロックやアルミニウムなどの金属ブロック１０を端面８に接続させて形成してもよい。また、図２（ｃ）のように端面８の近傍に溝１１を設け、その溝１１内に反射機能を有する前記したようなガラスブロックや金属ブロックあるいは誘電体多層膜フィルタなどの反射体１２を挿入するようにしてもよい。なお、図２においては導波路の図示を省略している。
【００３３】
ところで、本発明の光導波路型ＷＤＭ合分波器は石英ガラスで構成してもよいが、加工性がよいために結果的に低価格で作成でき、また材料価格も石英ガラスよりも安価な有機高分子材料で構成することが好ましい。有機高分子材料としては、ポリメチルメタクリレート（ＰＭＭＡ）、ポリシロキサン、シリコン、エポキシ、ポリアリレート、ポリシラン、フッ素化ポリイミド等が挙げられる。このような有機高分子材料を用いて、例えば従来からある直接露光法、スタンピング法、フォトブリーチング法等を用いて光導波路型ＷＤＭ合分波器を作成するとよい。
【図面の簡単な説明】
【００３４】
【図１】本発明の実施の形態を表した図である。
【図２】反射面の態様を説明する図である。
【符号の説明】
【００３５】
１・・・光導波路型ＷＤＭ合分波器
２・・・入力ポート
３・・・出力ポート
４・・・第１の端面
５・・・導波路
６・・・第１の誘電体多層膜フィルタ
７・・・第２の誘電体多層膜フィルタ
８・・・第２の端面
９・・・反射面
１０・・反射ブロック
１１・・溝
１２・・反射体
【図１】
2005321487.tif 000003
【図２】
2005321487.tif 000004